(57)【要約】【課題】複数の発報内容が重複して発生した状態でいずれかの発報内容を画面表示している場合にも、容易に第１報の画面表示に遷移することのできる火災受信機を得る。【解決手段】複数の端末機器による計測値に基づいてイベントの発生を判断し、イベントの発生順に従って、それぞれのイベントを表示部にページめくり表示させる表示制御部を備え、表示制御部は、複数のイベントを時系列データとして記憶部に記憶させ、ページめくりボタンとともに、第１報に戻るボタンを表示させ、第１報に戻るボタンによる操作入力を受け付けた場合には、時系列データの中で最も古い時刻のデータとして記憶されているイベントを抽出し、最初に発生したイベントとして表示部に表示させる。【選択図】図２
2019207493.tif 000002
【特許請求の範囲】
【請求項１】
複数の端末機器と接続され、前記複数の端末機器による計測値に基づいてイベントの発生を判断し、複数のイベントが発生した場合には、オペレータのページめくり操作入力に基づいて、イベントの発生順に従って、それぞれのイベントを表示部にページめくり表示させる表示制御部を備えた火災受信機であって、
前記表示制御部は、
前記複数のイベントを時系列データとして記憶部に記憶させ、
イベントを前記表示部に表示させる際に、前記ページめくり操作入力に対応するページめくりボタンとともに、最初に発生したイベントを表示させるための操作入力に対応する第１報に戻るボタンを表示させ、
前記第１報に戻るボタンによる操作入力を受け付けた場合には、前記時系列データの中で最も古い時刻のデータとして記憶されているイベントを抽出し、前記最初に発生したイベントとして前記表示部に表示させる
火災受信機。
【請求項２】
前記表示制御部は、
前記複数のイベントを時系列データとして前記記憶部に記憶させる際に、最も古い時刻のデータに相当する第１報よりも前に空白データを挿入し、最も新しい時刻のデータに相当する最新報よりも後にも前記空白データを挿入することで前記時系列データを生成し、
前記第１報を表示中に、さらに古い時刻の表示を行うためのページめくりボタンによる操作入力を受け付けた場合には、前記空白データを表示し、
前記最新報を表示中に、さらに新しい時刻の表示を行うためのページめくりボタンによる操作入力を受け付けた場合には、前記空白データを表示する
請求項１に記載の火災受信機。
【請求項３】
前記表示制御部は、
前記時系列データに含まれる隣接する２つのデータを１画面内に表示させることで、２イベント分のデータを同時に表示させ、
前記ページめくりボタンによる操作入力を受け付けた場合には、１イベント単位で表示内容を更新処理する
請求項１または２に記載の火災受信機。
【発明の詳細な説明】
【技術分野】
【０００１】
本発明は、複数の端末機器からの情報に基づいて、火災発生状況を検出する火災受信機に関し、特に、複数の通報があった場合の画面表示制御機能を備えた火災受信機に関する。
【背景技術】
【０００２】
従来、火災の要因となる煙の発生、温度上昇、ガス漏れ等を監視する火災報知設備に用いられる火災受信機は、防災センター、管理室などに設置されている。火災受信機は、火災監視区域ごとに設置されている１以上の端末機器から信号を受信することで、火災発生の有無を判断している。
【０００３】
このような火災報知設備において、火災受信機の表示画面を利用した操作メニューの選択操作を、音声入力を利用して、簡単かつ確実に行うことを可能とする従来技術がある（たとえば、特許文献１参照）。
【０００４】
より具体的には、特許文献１に係る設備は、開始メニューから最終メニューまでが、３階層、４階層といった深さを持ったメニュー木構造を想定している。そして、特許文献１は、このようなメニュー木構造を有する場合にも、所定の音声をマイクから入力することで、操作メニューの画面切替え操作を必要とせず、音声入力で指示した操作メニューを直接切替え表示することができる構成を備えている。
【先行技術文献】
【特許文献】
【０００５】
【特許文献１】特開２０１７−１９１４１８号公報
【発明の概要】
【発明が解決しようとする課題】
【０００６】
しかしながら、従来技術には、以下のような課題がある。
特許文献１に係る従来技術は、音声入力を利用することで、階層構造となっている画面の遷移を簡単かつ確実に行う技術を開示している。しかしながら、特許文献１に係る従来技術は、音声入力を用いることで操作性の改善を図っているため、音声認識処理を行う回路構成が不可欠である。
【０００７】
また、例えば、大規模な火災報知設備を想定すると、火災監視区域が増加し、より多くの端末機器が１つの火災報知設備内に含まれることが考えられる。このような火災報知設備において、火災が発生した際には、火災が広がることで、連動する多数の端末機器からの発報が重複して発生する場合がある。このような場合に、ページめくり操作を行いながら火災発生場所を確認するとともに、第１報がどこで発生し、何だったかを迅速に確認することが重要となる。しかしながら、動作した端末機器、および情報が多くなると、ページめくり操作により第１報を探す作業が繁雑になる。
【０００８】
また、特許文献１は、表示操作部により所定の操作メニューを画面表示した状態で音声信号を認識した場合に、その音声信号に対応する操作内容を実行する制御手法を開示しているに過ぎない。従って、特許文献１のような音声入力を利用した従来技術においても、連動する端末機器が多くなることで、音声信号制御が煩雑となる。また、特許文献１は、操作メニューの選択入力を音声入力によって行う技術に過ぎず、複数の通報があった場合の画面表示制御までは考慮していない。
【０００９】
本発明は、前記のような課題を解決するためになされたものであり、複数の発報内容が重複して発生した状態でいずれかの発報内容を画面表示している場合にも、容易に第１報の画面表示に遷移することのできる火災受信機を得ることを目的とする。
【課題を解決するための手段】
【００１０】
本発明に係る火災受信機は、複数の端末機器と接続され、複数の端末機器による計測値に基づいてイベントの発生を判断し、複数のイベントが発生した場合には、オペレータのページめくり操作入力に基づいて、イベントの発生順に従って、それぞれのイベントを表示部にページめくり表示させる表示制御部を備えた火災受信機であって、表示制御部は、複数のイベントを時系列データとして記憶部に記憶させ、イベントを表示部に表示させる際に、ページめくり操作入力に対応するページめくりボタンとともに、最初に発生したイベントを表示させるための操作入力に対応する第１報に戻るボタンを表示させ、第１報に戻るボタンによる操作入力を受け付けた場合には、時系列データの中で最も古い時刻のデータとして記憶されているイベントを抽出し、最初に発生したイベントとして表示部に表示させるものである。
【発明の効果】
【００１１】
本発明によれば、第１報から最新報までの間を順次ページめくり表示させる画面内に、第１報に戻るボタンを設けた構成を備えている。この結果、複数の発報内容が重複して発生した状態でいずれかの発報内容を画面表示している場合にも、容易に第１報の画面表示に遷移することのできる火災受信機を得ることができる。
【図面の簡単な説明】
【００１２】
【図１】本発明の実施の形態１に係る火災報知設備の全体構成図である。
【図２】本発明の実施の形態１に係る火災受信機の機能ブロック図である。
【図３】本発明の実施の形態１において、平常監視状態から、火災の第１報目が発報した際に、表示部に表示される画面例１を示した図である。
【図４】本発明の実施の形態１において、画面例１の状態から、さらに火災の第２報目が発報した際に、表示部に表示される画面例２を示した図である。
【図５】本発明の実施の形態１において、画面例２の状態から、さらに火災の第３報目が発報した際に、表示部に表示される画面例３を示した図である。
【図６】本発明の実施の形態１において、画面例３の状態で、右にページ送りするための右ページ送りボタンが操作されることで、表示部に表示される画面例４を示した図である。
【図７】本発明の実施の形態１において、画面例４の状態で、右ページ送りボタンが操作されることで、表示部に表示される画面例５を示した図である。
【図８】本発明の実施の形態１において、画面例５の状態で、右ページ送りボタンが操作されることで、表示部に表示される画面例６を示した図である。
【発明を実施するための形態】
【００１３】
以下、本発明の火災受信機の好適な実施の形態につき、図面を用いて説明する。
【００１４】
実施の形態１．
図１は、本発明の実施の形態１に係る火災報知設備の全体構成図である。図１に示す火災報知設備は、火災受信機１０と、４台の端末機器２０（１）〜２０（４）と、中継器３０とを備えて構成されている。ここで、２台の端末機器２０（１）、２０（２）、および中継器３０は、火災受信機１０と直接接続されている。また、２台の端末機器２０（３）、２０（４）は、中継器３０に直接接続されており、この中継器３０を介して火災受信機１０と接続されている。なお、端末機器２０、中継器３０の個数は、この図１の例に限定されるものではない。
【００１５】
図１に示した火災報知設備は、いわゆるＲ型火災報知設備である。従って、４台の端末機器２０（１）〜２０（４）は、測定結果、感知結果等をアナログ信号として出力し、火災受信機１０側で、これらのアナログ信号の受信結果に基づいて、火災の有無を判定している。
【００１６】
また、端末機器２０の代表例としては、以下のような光電アナログ感知器および熱アナログ感知器が挙げられる。
・光電アナログ感知器
火災監視区域において、投光部から照射された光が煙の影響を受けて、受光部が受光する光量が減光されることで、煙の発生をアナログ値として検出できる煙感知器、あるいは、投光部から照射された光が煙の粒子によって散乱した散乱光を受光部が受光することで、煙の発生をアナログ値として検出できる煙感知器に相当する。
・熱アナログ感知器
火災監視区域において、熱をアナログ値として検出できる熱感知器に相当する。
【００１７】
また、火災監視区域における周辺状況を計測できる端末機器として、気温、気圧、湿度、ＣＯガス等を計測する計測器を用いることもできる。
【００１８】
さらに、以下のような各種センサを、端末機器として使用することも可能である。
・圧力センサ
消火システムの配管経路中に圧力センサを接続し、配管内圧力を監視することで、スプリンクラ放出などの状態を知ることができる。
【００１９】
また、４−２０ｍＡの電流計測を行う中継器を介することで、業界標準となっている４−２０ｍＡの電流計測に対応している市販のセンサ類を、端末機器２０として自由に接続することが可能となる。このセンサ類の具体例としては、ガスセンサ、炎センサが挙げられる。
【００２０】
図２は、本発明の実施の形態１に係る火災受信機１０の機能ブロック図である。なお、図１において示した複数の端末機器２０（１）〜２０（４）は、図２においては、単に複数の端末機器２０として図示されている。そして、複数の端末機器２０としては、上述したような種々の感知器、計測器が考えられ、所望の火災監視区域に設置することができる。
【００２１】
図２に示した火災受信機１０は、受信部１１、記憶制御部１２、火災判定部１３、表示制御部１４、記憶部１５、報知部１６、および表示部１７の各機能を備えて構成されている。なお、受信部１１、記憶制御部１２、火災判定部１３、および表示制御部１４の機能は、１つの演算部によって、まとめて実施することも可能である。
【００２２】
受信部１１は、各端末機器２０から出力されたアナログ信号をあらかじめ決められたサンプリング間隔で取得し、さらに、アナログ／デジタル変換を行ってデジタル値を生成する。なお、サンプリング間隔は、すべての端末機器２０で共通の値である必要はなく、計測すべき物理量、火災監視区域などに応じて、個別に適切な値を設定することができる。
【００２３】
記憶制御部１２は、受信部１１で生成された、それぞれの端末機器２０による検出結果のデジタル値を、順次、記憶部１５に記憶させる。この際、記憶制御部１２は、あらかじめ決められた一定時間分の時系列データが、記憶部１５内に残るように、記憶データの更新を行っていく。たとえば、１０個のデータが一定時間内に得られる時系列データについては、記憶制御部１２は、最新の１０個のデータが記憶部１５内に記憶されるように、時系列データの更新処理を行うこととなる。
【００２４】
火災判定部１３は、記憶部１５内に記憶されている最新の時系列データまたは最新のリアルタイムデータに基づいて、火災が発生したか否かを判定する。さらに、火災判定部１３は、火災が発生したと判断した場合には、報知部１６を介して、火災発生状況を報知することができる。なお、この火災判定部１３による判定処理は、従来技術と同じであり、詳細な説明は、省略する。
【００２５】
表示制御部１４は、各種の端末機器が動作した際に、その動作状態等を表示部１７に順次表示させる。表示制御部１４は、例えば、火災発生時には、感知器作動→火災確定→連動機器作動という順に発生したイベントを逐次蓄積し、例えば、２イベント１ページとして、表示部１７に表示させることができる。
【００２６】
図３は、本発明の実施の形態１において、平常監視状態から、火災の第１報目が発報した際に、表示部１７に表示される画面例１を示した図である。画面例１では、第１報目のみが画面左側に表示されている。また、「発報総数：１」が表示されており、この表示内容により、オペレータは、第１報のみが発生している状態であることを認識できる。
【００２７】
図４は、本発明の実施の形態１において、画面例１の状態から、さらに火災の第２報目が発報した際に、表示部１７に表示される画面例２を示した図である。画面例２では、第１報目が画面左側に表示され、第２報目が画面右側に追加表示されている。また、「発報総数：２」が表示されており、この表示内容により、オペレータは、第１報と第２報が発生している状態であることを認識できる。
【００２８】
ここで、表示部１７には、１ページ目（第１報を含むページ）が先頭に表示され、オペレータが操作しない限りは、図３に示した画面例１または画面例２の状態が表示されているものとする。なお、仕様によっては、オペレータの操作がない場合に、発報が続けて発生した場合に、最新報を画面に表示させるように切り替えるものもあるが、以下では、オペレータが操作しない限りは、第１報が必ず視認できるように、表示されているものとして説明する。
【００２９】
図５は、本発明の実施の形態１において、画面例２の状態から、さらに火災の第３報目が発報した際に、表示部１７に表示される画面例３を示した図である。画面例３では、第１報目が画面左側に表示され、第２報目が画面右側に追加表示された状態が維持されている。ただし、「発報総数：３」が表示されており、この表示内容により、オペレータは、第１報と第２報に続いて第３報が発生した状態であることを認識できる。
【００３０】
図６は、本発明の実施の形態１において、画面例３の状態で、右にページ送りするための右ページ送りボタン１０２Ｒが操作されることで、表示部１７に表示される画面例４を示した図である。画面例３では、第１報目が画面左側に表示され、第２報目が画面右側に追加表示された状態が維持されていた。ここで、オペレータにより右ページ送りボタン１０２Ｒの操作が行われた場合には、第２報目が画面左側に表示され、第３報目が画面右側に表示された画面例４が表示部１７に表示され、オペレータは、第３報の内容を視認できるようになる。
【００３１】
図７は、本発明の実施の形態１において、画面例４の状態で、右ページ送りボタン１０２Ｒが操作されることで、表示部１７に表示される画面例５を示した図である。画面例４では、第２報目が画面左側に表示され、第３報目が画面右側に表示されていた。ここで、オペレータにより右ページ送りボタン１０２Ｒの操作が行われた場合には、第４報がまだ発生していないため、第３報目が画面左側に表示され、空白領域が画面右側に表示された画面例５が表示部１７に表示される。この結果、オペレータは、第３報の内容を視認できるとともに、第３報が現時点での最新報であることを認識できるようになる。
【００３２】
図８は、本発明の実施の形態１において、画面例５の状態で、右ページ送りボタン１０２Ｒが操作されることで、表示部１７に表示される画面例６を示した図である。画面例５では、第３報目が画面左側に表示され、空白領域が画面右側に表示されていた。ここで、オペレータにより右ページ送りボタン１０２Ｒの操作が行われた場合には、第４報がまだ発生していないため、空白領域が画面左側に表示され、第１報が画面右側に表示された画面例６が表示部１７に表示される。
【００３３】
このように、オペレータは、表示部１７上でページめくり操作を実行することにより、第３報以降で何が発生し、どの機器が作動しているかを、ページめくり表示させながら、把握することができる。さらに、第１報と最新報との間に空白領域が挿入された状態で、時系列的に隣接する２報を、循環して表示部１７に表示させることができる。また、オペレータは、右ページ送りボタン１０２Ｒを操作することで、より最新の報知内容を視認でき、左ページ送りボタン１０２Ｌを操作することで、より過去に遡った報知内容を視認できる。
【００３４】
このような循環操作の過程で、複数の表示画面間を遷移していった途中で、第１報に戻り、最初に、どこで何が発生していたかを瞬時に確認したい状況が考えられる。そこで、本実施の形態１に係る火災受信機では、オペレータがページめくり操作を行う画面内に、［第１報に戻る］ボタン１０１が設けられている。表示制御部１４は、この［第１報に戻る］ボタン１０１がオペレータによって操作された場合には、第１報に対応する表示画面を、表示部１７に瞬時に表示させることができる。第１報に対応する表示画面の一例としては、図８に示した画面例６挙げることができる。
【００３５】
図３に示した画面例１では、第１報のみしか発生していないため、［第１報に戻る］ボタン１０１は表示されていない。これに対して、図４〜図８に示した画面例２〜画面例６では、発報総数が２以上となっており、第１報以外にも発報されているため、［第１報に戻る］ボタン１０１が表示されている。
【００３６】
従って、図４〜図７に示した状態で、［第１報に戻る］ボタン１０１がオペレータによって操作されることで、表示制御部１４は、第１報の内容を直ちに表示させることができる。さらに、第１報と最新報との間には空白領域が挿入されているため、表示制御部１４は、［第１報に戻る］ボタン１０１がオペレータによって操作されることで、空白領域が画面左側に表示され、第１報が画面右側に表示された画面例６を表示させることができ、オペレータは、第１報であることを容易に識別できる。
【００３７】
以上のように、実施の形態１によれば、第１報から最新報までの間を順次ページめくり表示させる画面内に、［第１報に戻る］ボタン１０１が設けられている。この結果、火災が発生した際に連動する機器が多く、表示部に表示すべきイベント内容が多数発生した場合にも、オペレータは、ページめくり操作を行っている途中で、［第１報に戻る］ボタン１０１を操作することで、瞬時に第１報のイベント内容を確認することができる。この結果、火災発生原因、火災発生場所を迅速に特定することのできる操作性を備えた火災受信機を実現できる。
【００３８】
また、実施の形態１によれば、第１報と最新報との間に、表示内容のない空白領域が挿入されている。従って、第１報から最新報までの間を、２イベント／１ページとして、順次ページめくり表示させて、火災原因の確認作業を行う際に、オペレータは、順次ページめくり操作を行っている際に、最新報がどれであるか、あるいは第１報がどれであるかを、一目で識別できる。すなわち、ページめくり操作中に、第１報および最新報を容易に特定することができる操作性を備えた火災受信機を実現できる。
【００３９】
また、実施の形態１によれば、１画面内に同時に２つのイベントを表示させる構成を備えている。この結果、同時に２つのイベント内容を確認することができ、かつ、第１報および最新報を容易に特定することができる操作性を備えた火災受信機を実現できる。なお、３以上の複数のイベントを１画面内に同時に表示させる構成であってもよい。
【００４０】
このように、実施の形態１によれば、単純なページめくり操作だけでは得ることのできない、表示画面の操作性改善効果、および火災原因の確認作業の改善効果を実現できる。
【００４１】
特に、［第１報に戻る］を設けることで、第１報が表示されていない状態から、直ちに第１報を表示させる画面に遷移することが可能となる。この結果、オペレータは、第１報がどこで発生し、何だったかを迅速に確認することができる。なお、この効果は、第１報と最新報との間に空白領域が挿入されていない場合にも得ることができる効果である。
【００４２】
さらに、第１報と最新報との間に空白領域を挿入して画面表示制御が行われることで、オペレータは、ページめくり操作を行った場合にも、第１報と最新報とを明確に識別することが可能となる。この結果、火災原因の確認作業を、より迅速に行うことが可能となる。
【００４３】
また、実施の形態１では、第１報と最新報の間に空白領域を挟んで、第１報から最新報、最新報から第１報へ、ページめくり操作により遷移させることができる実施例を示したが、本願発明はこれに限定せず、第１報の前および最新報の後に空白領域をそれぞれ設け、第１報の前および最新報の後へは、ページめくり操作では遷移できないような場合でも同様の効果を得ることができる。
【符号の説明】
【００４４】
１０  火災受信機、１１  受信部、１２  記憶制御部、１３  火災判定部、１４  表示制御部、１５  記憶部、１６  報知部、１７  表示部、２０  端末機器、１０１  第１報に戻るボタン、１０２Ｒ  右ページ送りボタン、１０２L  左ページ送りボタン。
【図１】
2019207493.tif 000003
【図２】
2019207493.tif 000004
【図３】
2019207493.tif 000005
【図４】
2019207493.tif 000006
【図５】
2019207493.tif 000007
【図６】
2019207493.tif 000008
【図７】
2019207493.tif 000009
【図８】
2019207493.tif 000010